(57)【特許請求の範囲】
【請求項１】
ワイヤレス送受信ユニット（ＷＴＲＵ）を操作する方法であって、
トラフィックオフロード（ＴＯ）がＮｏｄｅ−Ｂによってサポートされているかどうかを示す前記Ｎｏｄｅ−Ｂからのロングタームエボリューション（ＬＴＥ）システムのブロードキャストシステム情報（ＳＩ）メッセージ、および前記Ｎｏｄｅ−Ｂからのセッション管理メッセージを受信するステップであって、前記セッション管理メッセージは、特定のＴＯサービスが前記ＷＴＲＵに対して明確に許可されているかとうどうかを示す、ステップと、
ＴＯが前記Ｎｏｄｅ−Ｂによってサポートされていると前記ブロードキャストＳＩメッセージが示していること且つ前記特定のＴＯサービスが前記ＷＴＲＵに対して明確に許可されていると前記セッション管理メッセージが示していることを条件に、前記セッション管理メッセージの受信に応答してトラフィックのオフロードを起動するステップと、
前記特定のＴＯサービスを使用して、前記Ｎｏｄｅ−Ｂと少なくとも１つのベアラを維持しながら通信するステップと
を備えたことを特徴とする方法。
【請求項２】
前記Ｎｏｄｅ−Ｂは、ホーム進化型Ｎｏｄｅ  Ｂ（ＨｅＮＢ）であることを特徴とする請求項１に記載の方法。
【請求項３】
前記セッション管理メッセージは、Ａｔｔａｃｈ  Ａｃｃｅｐｔメッセージであることを特徴とする請求項１に記載の方法。
【請求項４】
前記セッション管理メッセージは、Ｔｒａｃｋｉｎｇ  ａｒｅａ  ｕｐｄａｔｅ  Ａｃｃｅｐｔメッセージであることを特徴とする請求項１に記載の方法。
【請求項５】
前記ＴＯが前記ＷＴＲＵによってサポートされていることの表示を送信するステップと、
前記ＴＯが前記ＷＴＲＵによってサポートされていることの前記表示を送信した後に、前記ＷＴＲＵについての前記特定のＴＯサービスをトリガするための前記Ｎｏｄｅ−Ｂからの前記セッション管理メッセージを受信するステップと
をさらに備えたことを特徴とする請求項１に記載の方法。
【請求項６】
前記セッション管理メッセージは、前記特定のＴＯサービスを実行するように構成されたゲートウェイのアクセスポイント名（ＡＰＮ）を含むことを特徴とする請求項１に記載の方法。
【請求項７】
前記セッション管理メッセージは、非アクセス層（ＮＡＳ）メッセージであることを特徴とする請求項１に記載の方法。
【請求項８】
前記特定のＴＯサービスは、非３ＧＰＰアクセスを介して受信されることを特徴とする請求項１に記載の方法。
【請求項９】
前記Ｎｏｄｅ−Ｂからの前記セッション管理メッセージを受信するステップは、前記ＷＴＲＵが前記Ｎｏｄｅ−Ｂにキャンプオンしている間に前記セッション管理メッセージを受信することを含むことを特徴とする請求項１に記載の方法。
【請求項１０】
ワイヤレス送受信ユニット（ＷＴＲＵ）であって、
送信機、受信機、およびプロセッサを含む回路を備え、前記回路は、
トラフィックオフロード（ＴＯ）がＮｏｄｅ−Ｂによってサポートされているかどうかを示す前記Ｎｏｄｅ−Ｂからのロングタームエボリューション（ＬＴＥ）システムのブロードキャストシステム情報（ＳＩ）メッセージ、および前記Ｎｏｄｅ−Ｂからのセッション管理メッセージを受信し、前記セッション管理メッセージは、特定のＴＯサービスが前記ＷＴＲＵに対して明確に許可されていることを示し、
ＴＯが前記Ｎｏｄｅ−Ｂによってサポートされていると前記ブロードキャストＳＩメッセージが示していること且つ前記特定のＴＯサービスが前記ＷＴＲＵに対して明確に許可されていると前記セッション管理メッセージが示していることを条件に、前記セッション管理メッセージの受信に応答してトラフィックのオフロードを起動し、
前記特定のＴＯサービスを使用して、前記Ｎｏｄｅ−Ｂと少なくとも１つのベアラを維持しながら通信するように構成されたことを特徴とするＷＴＲＵ。
【請求項１１】
前記セッション管理メッセージは、Ａｔｔａｃｈ  Ａｃｃｅｐｔメッセージであることを特徴とする請求項１０に記載のＷＴＲＵ。
【請求項１２】
前記セッション管理メッセージは、Ｔｒａｃｋｉｎｇ  ａｒｅａ  ｕｐｄａｔｅ  Ａｃｃｅｐｔメッセージであることを特徴とする請求項１０に記載のＷＴＲＵ。
【請求項１３】
前記送信機は、前記ＴＯが前記ＷＴＲＵによってサポートされていることの表示を送信するように構成され、
前記受信機は、前記ＴＯが前記ＷＴＲＵによってサポートされていることの前記表示を送信した後に、前記ＷＴＲＵについての前記特定のＴＯサービスをトリガするための前記Ｎｏｄｅ−Ｂからの前記セッション管理メッセージを受信するようにさらに構成されたことを特徴とする請求項１０に記載のＷＴＲＵ。
【請求項１４】
前記セッション管理メッセージは、前記特定のＴＯサービスを実行するように構成されたゲートウェイのアクセスポイント名（ＡＰＮ）を含むことを特徴とする請求項１０に記載のＷＴＲＵ。
【請求項１５】
前記セッション管理メッセージは、非アクセス層（ＮＡＳ）メッセージであることを特徴とする請求項１０に記載のＷＴＲＵ。
【請求項１６】
前記特定のＴＯサービスは、非３ＧＰＰアクセスを介して受信されることを特徴とする請求項１０に記載のＷＴＲＵ。
【請求項１７】
前記受信機は、前記ＷＴＲＵが前記Ｎｏｄｅ−Ｂにキャンプオンしている間に前記セッション管理メッセージを受信するように構成されたことを特徴とする請求項１０に記載のＷＴＲＵ。
【発明の詳細な説明】
【技術分野】
【０００１】
選択されたインターネットプロトコルトラフィックオフロードのサポートをブロードキャストするための方法および装置に関する。
【背景技術】
【０００２】
（関連出願の相互参照）
本出願は、その内容が参照により本明細書に組み込まれている、２０１０年１月８日に出願された米国仮特許出願第６１／２９３，４２３号、および２０１０年２月１２日に出願された米国仮特許出願第６１／３０４，１９９号の利益を主張する。
【０００３】
選択されたインターネットプロトコル（ＩＰ）トラフィックオフロード（ＳＩＰＴＯ）は、ワイヤレス通信システム事業者のコアネットワークから、ワイヤレス送受信ユニット（ＷＴＲＵ）のアクセスポイントへのアタッチ（ａｔｔａｃｈｍｅｎｔ）のポイントに近い定義済みのＩＰネットワークへ、トラフィックをオフロードするための方法である。データプレーンに関するコアネットワークに対して参照すると、対象のノードは、例えば、ロングタームエボリューション（ＬＴＥ）に準拠したシステムにおけるサービングゲートウェイ（ＳＧＷ）およびパケットデータネットワークゲートウェイ（ＰＤＷ）、またはユニバーサル移動電話システム（ＵＭＴＳ）に準拠した無線アクセスネットワーク（ＵＴＲＡＮ）におけるサービング汎用パケット無線サービス（ＧＰＲＳ）サポートノード（ＳＧＳＮ）およびゲートウェイＧＰＲＳサポートノード（ＧＧＳＮ）を含むが、本明細書の開示は、いかなる１つのネットワークアーキテクチャまたは技術にも限定されない。ＳＩＰＴＯの目的は、情報をやりとりしているこれらのノードから、ＩＰトラフィックの一部をオフロードすることである。
【０００４】
ＳＩＰＴＯは、ＷＴＲＵがオフロードされたトラフィックと、事業者ネットワークを通過するオフロードされない、すなわち非ＳＩＰＴＯトラフィックとの両方について処理可能であることを要求することができる。ＳＩＰＴＯは、例えばＵＴＲＡＮ、進化型ＵＴＲＡＮ（ｅｖｏｌｖｅｄ  ＵＴＲＡＮ、Ｅ−ＵＴＲＡＮ）、および例えばホームｅＮｏｄｅＢ（ｈｏｍｅ  ｅＮｏｄｅＢ、ＨｅＮＢ）を備えたマクロセルで使用することができる。
【発明の概要】
【０００５】
選択的インターネットプロトコル（ＩＰ）オフロード（ＳＩＰＴＯ）またはローカルＩＰアクセス（ＬＩＰＡ）を行う方法および装置を開示する。ワイヤレス送受信ユニット（ＷＴＲＵ）が、Ｎｏｄｅ−Ｂからブロードキャストメッセージを受信する。次いでＷＴＲＵは、ＳＩＰＴＯサービスまたはＬＩＰＡサービスがこのＷＴＲＵに使用できるというメッセージをＮｏｄｅ−Ｂから受信する。ＷＴＲＵはその後、ＳＩＰＴＯサービスまたはＬＩＰＡサービスを使用して通信する。
【０００６】
ＳＩＰＴＯサービスまたはＬＩＰＡサービスのページングメッセージを受信するための方法および装置もまた開示する。ページングメッセージは、メッセージがＳＩＰＴＯ通信用であるか、またはＬＩＰＡ通信用であるかを示すインジケータを含む。インジケータは、特にＳＩＰＴＯ通信またはＬＩＰＡ通信のためにネットワークによって割り当てられた一時的移動体加入者識別情報（ＴＭＳＩ）であることが可能である。またインジケータは、ページングのメッセージがＳＩＰＴＯトラフィックまたはＬＩＰＡトラフィック用のものであることを示すように指定された単一ビットであることも可能である。
【図面の簡単な説明】
【０００７】
一例として添付の図面と併せて行われる次の説明から、より詳細に理解することができる。
【０００８】
【図１Ａ】１つまたは複数の開示した実施形態を実装することができる例示的通信システムのシステム概略図である。
【図１Ｂ】図１Ａに示す通信システム内で使用することができる例示的ワイヤレス送受信ユニット（ＷＴＲＵ）のシステム概略図である。
【図１Ｃ】図１Ａに示す通信システム内で使用することができる例示的無線アクセスネットワークおよび例示的コアネットワークのシステム概略図である。
【図２】ＳＩＰＴＯを行うように構成されたワイヤレスネットワークの例示的アーキテクチャの図である。
【図３】ＳＩＰＴＯサービスのサポートを示すための手続きの例示的流れ図である。
【図４】ＳＩＰＴＯサービスの配信をトリガするための手続きの例示的流れ図である。
【図５】ＳＩＰＴＯサービスの配信を停止するための手続きの例示的流れ図である。
【図６】ＳＩＰＴＯを使用したページング手続きの例示的流れ図である。
【発明を実施するための形態】
【０００９】
図１Ａは、１つまたは複数の開示した実施形態を実施することができる例示的通信システム１００を示す図である。通信システム１００は、音声、データ、ビデオ、メッセージング、ブロードキャストなどのコンテンツを、複数のワイヤレスユーザに提供する多重アクセスシステムとすることができる。通信システム１００は、ワイヤレス帯域幅を含む、システムリソースの共有によって、複数のワイヤレスユーザがこのようなコンテンツにアクセスできるようにすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）など、１つまたは複数のチャネルアクセス方法を使用することができる。
【００１０】
図１Ａに示すように、通信システム１００は、ワイヤレス送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話ネットワーク（ＰＳＴＮ）１０８、インターネット１１０、および他のネットワーク１１２を含むことができる。しかし、開示する実施形態から、任意の数のＷＴＲＵ、基地局、ネットワーク、および／またはネットワーク要素をも考慮することができることは理解されるであろう。ＷＴＲＵ１０２ａ、１０２ｂ、１０２ｃ、１０２ｄのそれぞれは、ワイヤレス環境で動作するおよび／または通信するように構成されたいかなるタイプのデバイスであることも可能である。一例として、ＷＴＲＵ１０２ａ、１０２ｂ、１０２ｃ、１０２ｄは、ワイヤレス信号を送信および／または受信するように構成することができ、ユーザ機器（ＵＥ）、移動局、固定もしくは移動加入者ユニット、ページャ、携帯電話、ＰＤＡ（携帯情報端末）、スマートフォン、ラップトップ、ネットブック、パーソナルコンピュータ、ワイヤレスセンサ、民生用ホーム電子機器などを含むことができる。
【００１１】
通信システム１００はまた、基地局１１４ａおよび基地局１１４ｂを含むことができる。基地局１１４ａ、１１４ｂのそれぞれは、ＷＴＲＵ１０２ａ、１０２ｂ、１０２ｃ、１０２ｄの少なくとも１つとワイヤレスに接続して、コアネットワーク１０６、インターネット１１０、および／またはネットワーク１１２のような、１つまたは複数の通信ネットワークへのアクセスを容易にするように構成されたいかなるタイプのデバイスとすることもできる。一例として、基地局１１４ａ、１１４ｂは、無線基地局（ＢＴＳ）、Ｎｏｄｅ−Ｂ、Ｈｏｍｅ  Ｎｏｄｅ  Ｂ、Ｈｏｍｅ、サイトコントローラ（ｓｉｔｅ  ｃｏｎｔｒｏｌｌｅｒ）、アクセスポイント（ＡＰ）、ワイヤレスルータなどとすることができる。基地局１１４ａ、１１４ｂはそれぞれ単一要素として示しているが、基地局１１４ａ、１１４ｂは、任意の数の相互に接続された基地局および／またはネットワーク要素を含むこともできると理解されるであろう。
【００１２】
基地局１１４ａは、ＲＡＮ１０４の一部とすることができ、基地局コントローラ（ＢＳＣ）、無線ネットワークコントローラ（ＲＮＣ）、リレーノードなど、他の基地局および／またはネットワーク要素（図示せず）を含むこともできる。基地局１１４ａおよび／または基地局１１４ｂは、セル（図示せず）と呼ぶことができる特定の地理的領域内のワイヤレス信号を送信および／または受信するように構成することができる。セルは、さらにセルセクタに分割することができる。例えば、基地局１１４ａと関連するセルは、３つのセクタに分割することができる。したがって、１つの実施形態では、基地局１１４ａは３つのトランシーバ、すなわちセルの各セクタに１つを含むことができる。別の実施形態では、基地局１１４ａは、多入力多出力（ＭＩＭＯ）技術を使用することができ、したがって、セルの各セクタに複数のトランシーバを利用することができる。
【００１３】
基地局１１４ａ、１１４ｂは、エアインタフェース１１６によってＷＴＲＵ１０２ａ、１０２ｂ、１０２ｃ、１０２ｄの１つまたは複数と通信することができ、エアインタフェースは、いかなる好適なワイヤレス通信リンク（例えば、無線周波数（ＲＦ）、マイクロ波、赤外線（ＩＲ）、紫外線（ＵＶ）、可視光線など）であってもよい。エアインタフェース１１６は、いかなる好適な無線アクセス技術（ＲＡＴ）を使用して確立することもできる。
【００１４】
より詳細には、上記のように、通信システム１００は、多重アクセスシステムであることが可能であり、ＣＤＭＡ、ＴＤＭＡ、ＦＤＭＡ、ＯＦＤＭＡ、ＳＣ−ＦＤＭＡなどのような、１つまたは複数のチャネルアクセス方式を使用することができる。例えば、ＲＡＮ１０４中の基地局１１４ａおよびＷＴＲＵ１０２ａ、１０２ｂ、１０２ｃは、広帯域ＣＤＭＡ（ＷＣＤＭＡ）を使用してエアインタフェース１１６を確立することができるユニバーサル移動体通信システム（ＵＭＴＳ）地上無線アクセス（ＵＴＲＡ）などの無線技術を実装することができる。ＷＣＤＭＡは、高速パケットアクセス（ＨＳＰＡ）および／またはＥｖｏｌｖｅｄ  ＨＳＰＡ（ＨＳＰＡ＋）などの通信プロトコルを含むことができる。ＨＳＰＡは、Ｈｉｇｈ−Ｓｐｅｅｄ  Ｄｏｗｎｌｉｎｋ  Ｐａｃｋｅｔ  Ａｃｃｅｓｓ（高速ダウンリンクパケットアクセス、ＨＳＤＰＡ）および／またはＨｉｇｈ−Ｓｐｅｅｄ  Ｕｐｌｉｎｋ  Ｐａｃｋｅｔ  Ａｃｃｅｓｓ  （高速アップリンクパケットアクセス、ＨＳＵＰＡ）を含むことができる。
【００１５】
別の実施形態では、基地局１１４ａおよびＷＴＲＵ１０２ａ、１０２ｂ、１０２ｃは、Ｅｖｏｌｖｅｄ  ＵＭＴＳ  Ｔｅｒｒｅｓｔｒｉａｌ  Ｒａｄｉｏ  Ａｃｃｅｓｓ（進化型ＵＭＴＳ地上無線アクセス、Ｅ−ＵＴＲＡ）などの無線技術を実施することができ、ロングタームエボリューション（ＬＴＥ）および／またはＬＴＥ−Ａｄｖａｎｃｅｄ（ＬＴＥ−Ａ）を使用してエアインタフェース１１６を確立することができる。
【００１６】
別の実施形態では、基地局１１４ａおよびＷＴＲＵ１０２ａ、１０２ｂ、１０２ｃは、ＩＥＥＥ  ８０２．１６（すなわち、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ））、ＣＤＭＡ２０００、ＣＤＭＡ２０００  １Ｘ、ＣＤＭＡ２０００  ＥＶ−ＤＯ、ＩＳ−２０００（Ｉｎｔｅｒｉｍ  Ｓｔａｎｄａｒｄ  ２０００）、ＩＳ−９５（Ｉｎｔｅｒｉｍ  Ｓｔａｎｄａｒｄ  ９５）、ＩＳ−８５６（Ｉｎｔｅｒｉｍ  Ｓｔａｎｄａｒｄ  ８５６）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）、ＧＥＲＡＮ（ＧＳＭ  ＥＤＧＥ）などの無線技術を実施することができる。
【００１７】
図１Ａの基地局１１４ｂは、例えば、ワイヤレスルータ、Ｈｏｍｅ  Ｎｏｄｅ  Ｂ、またはアクセスポイントとすることができ、職場、自宅、車、学校などの局所的エリアにおけるワイヤレス接続を容易にするためのいかなる好適なＲＡＴを使用することもできる。１つの実施形態では、基地局１１４ｂおよびＷＴＲＵ１０２ｃ、１０２ｄは、ＩＥＥＥ  ８０２．１１などの無線技術を実装して、ワイヤレスローカルエリアネットワーク（ＷＬＡＮ）を確立することができる。別の実施形態では、基地局１１４ｂおよびＷＴＲＵ１０２ｃ、１０２ｄは、ＩＥＥＥ  ８０２．１５などの無線技術を実装して、ワイヤレスパーソナルエリアネットワーク（ＷＰＡＮ）を確立することができる。さらに別の実施形態では、基地局１１４ｂおよびＷＴＲＵ１０２ｃ、１０２ｄは、セルラベースのＲＡＴ（例えば、ＷＣＤＭＡ、ＤＣＭＡ２０００、ＧＳＭ、ＬＴＥ、ＬＴＥ−Ａなど）を使用してピコセルまたはフェムトセルを確立することができる。図１Ａに示すように、基地局１１４ｂは、インターネット１１０への直接接続を有することができる。したがって基地局１１４ｂは、コアネットワーク１０６を介してインターネット１１０にアクセスすることを必要としないこともありうる。
【００１８】
ＲＡＮ１０４は、コアネットワーク１０６と通信することが可能である。コアネットワーク１０６は、音声、データ、アプリケーション、および／またはＶｏＩＰ（ｖｏｉｃｅ  ｏｖｅｒ  ｉｎｔｅｒｎｅｔ  ｐｒｏｔｏｃｏｌ）サービスをＷＴＲＵ１０２ａ、１０２ｂ、１０２ｃ、１０２ｄの１つまたは複数に提供するように構成されたいかなるタイプのネットワークであってもよい。例えば、コアネットワーク１０６は、呼制御、課金サービス、移動体位置情報に基づくサービス、プリペイド通話、インターネット接続、ビデオ配信などを提供すること、および／または、ユーザ認証など高レベルセキュリティ機能を行うことができる。図１Ａには示していないが、ＲＡＮ１０４および／またはコアネットワーク１０６は、ＲＡＮ１０４として同じＲＡＴを使用する、または異なるＲＡＴを使用する、他のＲＡＮと直接通信または間接通信している場合があることを理解されるであろう。例えば、Ｅ−ＵＴＲＡ無線技術を使用している可能性がある、ＲＡＮ１０４に接続されていることに加えて、コアネットワーク１０６は、Ｅ−ＵＴＲＡ技術を使用しているＧＳＭ無線技術を使用して別のＲＡＮ（図示せず）とも通信しうる。
【００１９】
コアネットワーク１０６は、ＷＴＲＵ１０２ａ、１０２ｂ、１０２ｃ、１０２ｄのゲートウェイとして働き、ＰＳＴＮ１０８、インターネット１１０、および／または他のネットワーク１１２にアクセスすることもできる。ＰＳＴＮ１０８は、旧来の電話サービス（ＰＯＴＳ）を提供する回線交換電話ネットワークを含むことができる。インターネット１１０は、ＴＣＰ／ＩＰインターネットプロトコルスイート中のＴＣＰ（ｔｒａｎｓｍｉｓｓｉｏｎ  ｃｏｎｔｒｏｌ  ｐｒｏｔｏｃｏｌ、伝送制御プロトコル）、ＵＤＰ（ｕｓｅｒ  ｄａｔａｇｒａｍ  ｐｒｏｔｏｃｏｌ、ユーザデータグラムプロトコル）、ＩＰ（ｉｎｔｅｒｎｅｔ  ｐｒｏｔｏｃｏｌ、インターネットプロトコル）など、共通の通信プロトコルを使用する、相互接続したコンピュータネットワークおよびデバイスのグローバルシステムを含むことができる。ネットワーク１１２は、他のサービスプロバイダによって所有および／または提供される有線または無線通信ネットワークを含むことができる。例えばネットワーク１１２は、ＲＡＮ１０４と同じＲＡＴまたは異なるＲＡＴを使用することができる、１つまたは複数のＲＡＮに接続された別のコアネットワークを含むことができる。
【００２０】
通信システム１００のＷＴＲＵ１０２ａ、１０２ｂ、１０２ｃ、１０２ｄの一部または全部は、マルチモード機能を含むことができ、すなわち、ＷＴＲＵ１０２ａ、１０２ｂ、１０２ｃ、１０２ｄは、様々なワイヤレスリンクを通じて様々なワイヤレスネットワークと通信する複数のトランシーバを含むことができる。例えば図１Ａに示すＷＴＲＵ１０２ｃは、セルラベースの無線技術を使用することができる基地局１１４ａと、およびＩＥＥＥ  ８０２無線技術を使用することができる基地局１１４ｂと、通信するように構成することができる。
【００２１】
図１Ｂは、例示的ＷＴＲＵ１０２のシステム概要図である。図１Ｂに示すように、ＷＴＲＵ１０２は、プロセッサ１１８、トランシーバ１２０、送信／受信要素１２２、スピーカ／マイク１２４、キーパッド１２６、ディスプレイ／タッチパッド１２８、取り外しできないメモリ１０６、取り外しできるメモリ１３２、電源１３４、ＧＰＳ（ｇｌｏｂａｌ  ｐｏｓｉｔｉｏｎｉｎｇ  ｓｙｓｔｅｍ、全地球測位システム）チップセット１３６、および他の周辺機器１３８を含むことができる。ＷＴＲＵ１０２は、一実施形態と一致するようにして前述の要素のいかなるサブコンビネーション（ｓｕｂｃｏｍｂｉｎａｔｉｏｎ）も含むことができることを理解されるであろう。
【００２２】
プロセッサ１１８は、汎用プロセッサ、専用プロセッサ、従来のプロセッサ、デジタル信号プロセッサ（ＤＳＰ）、複数のマイクロプロセッサ、ＤＳＰコアと関連する１つまたは複数のマイクロプロセッサ、コントローラ、マイクロコントローラ、特定用途向け集積回路（ＡＳＩＣ）、フィールドプログラマブルゲートアレイ（Ｆｅｉｌｄ  Ｐｒｏｇｒａｍｍａｂｌｅ  Ｇａｔｅ  Ａｒｒａｙ、ＦＰＧＡ）回路、その他の型の集積回路（ＩＣ）、状態機械、および／または同様のものであることが可能である。プロセッサ１１８は、信号符号化、データ処理、電力制御、入力／出力処理、および／またはＷＴＲＵ１０２がワイヤレス環境で動作できるようにするその他の機能を行うことができる。プロセッサ１１８は、トランシーバ１２０に結合することができ、トランシーバ１２０は、送信／受信要素１２２に結合することができる。図１Ｂはプロセッサ１１８およびトランシーバ１２０を別々の構成要素として示しているが、プロセッサ１１８およびトランシーバ１２０は、電子部品パッケージまたはチップに一体化できることを理解されるであろう。
【００２３】
送信／受信要素１２２は、エアインタフェース１１６を通じて基地局（例えば基地局１１４ａ）へ信号を送信する、または基地局から信号を受信するように構成することができる。例えば、１つの実施形態では、送信／受信要素１２２は、ＲＦ信号を送信するおよび／または受信するように構成されたアンテナであることが可能である。別の実施形態では、送信／受信要素１２２は、例えば、ＩＲ、ＵＶ、または可視光線信号を送信するおよび／または受信するように構成されたエミッタ／検波器であることが可能である。さらに別の実施形態では、送信／受信要素１２２は、ＲＦと光信号の両方を送受信するように構成することができる。送信／受信要素１２２は、無線信号のいかなる組合せも送信および／または受信するように構成することができると理解されるであろう。
【００２４】
さらに、送信／受信要素１２２は図１Ｂでは単一要素として表しているが、ＷＴＲＵ１０２はいかなる数の送信／受信要素１２２を含むこともできる。さらに詳細には、ＷＴＲＵ１０２はＭＩＭＯ技術を使用することができる。したがって、１つの実施形態では、ＷＴＲＵ１０２は、エアインタフェース１１６を通じてワイヤレス信号を送受信するための２つ以上の送信／受信要素１２２（例えば複数のアンテナ）を含むことができる。
【００２５】
トランシーバ１２０は、送信／受信要素１２２によって送信されることになる信号を変調し、送信／受信要素１２２によって受信される信号を復調するように構成することができる。上記のように、ＷＴＲＵ１０２は、マルチモード機能を有することができる。したがって、トランシーバ１２０は、ＷＴＲＵ１０２が例えばＵＴＲＡおよびＩＥＥＥ  ８０２．１１など、複数のＲＡＴによって通信できるようにするための複数のトランシーバを含むことができる。
【００２６】
ＷＴＲＵ１０２のプロセッサ１１８は、スピーカ／マイク１２４、キーパッド１２６、および／またはディスプレイ／タッチパッド１２８（例えば、液晶ディスプレイ（ＬＣＤ）ディスプレイユニットもしくは有機発光ダイオード（ＯＬＥＤ）ディスプレイユニット）に結合することができ、これらからユーザ入力データを受信することができる。プロセッサ１１８は、スピーカ／マイク１２４、キーパッド１２６、および／またはディスプレイ／タッチパッド１２８にユーザデータを出力することもできる。さらにプロセッサ１１８は、取り外しできないメモリ１０６および／または取り外しできるメモリ１３２など、いかなるタイプの好適なメモリからの情報にアクセスすることもでき、またいかなるタイプの好適なメモリにデータを格納することもできる。取り外しできないメモリ１０６には、ランダムアクセスメモリ（ＲＡＭ）、リードオンリメモリ（ＲＯＭ）、ハードディスク、またはいかなるタイプのメモリ記憶装置も含まれる。取り外しできるメモリ１３２には、加入者識別情報モジュール（ｓｕｂｓｃｒｉｂｅｒ  ｉｄｅｎｔｉｔｙ  ｍｏｄｕｌｅ、ＳＩＭ）カード、メモリスティック、セキュアデジタル（ＳＤ）メモリカードなどが含まれる。他の実施形態では、プロセッサ１１８は、サーバまたはホームコンピュータ（図示せず）など、ＷＴＲＵ１０２に物理的に設置されていないメモリからの情報にアクセスし、メモリにデータを格納することができる。
【００２７】
プロセッサ１１８は、電源１３４から電力を受信することができ、ＷＴＲＵ１０２内の他の構成要素へ電力を分配および／または制御するように構成することができる。電源１３４は、ＷＴＲＵ１０２に電力を供給するためのいかなる好適なデバイスであってもよい。例えば、電源１３４は、１つまたは複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）、その他）、太陽電池、燃料電池などを含むことができる。
【００２８】
プロセッサ１１８は、ＷＴＲＵ１０２の現在の位置に関する位置情報（例えば、経度および緯度）を提供するように構成することができるＧＰＳチップセット１３６に結合されることも可能である。ＧＰＳチップセット１３６からの情報に加えて、またはこれに代えて、ＷＴＲＵ１０２は基地局（例えば基地局１１４ａ、１１４ｂ）からエアインタフェース１１６を介して位置情報を受信する、および／または２つ以上の近傍基地局から受信中の信号のタイミングに基づいてその位置を決定することができる。ＷＴＲＵ１０２は、依然として一実施形態と合致しながらいかなる好適な位置決定方法によっても位置情報を獲得することができると理解されるであろう。
【００２９】
プロセッサ１１８は、他の周辺機器１３８にさらに結合することができ、他の周辺機器１３８は、追加の特徴、機能、および／または有線もしくは無線接続を提供する１つまたは複数のソフトウェアおよび／またはハードウェアモジュールを含むことができる。例えば、周辺機器１３８には、加速度計、ｅコンパス（ｅ−ｃｏｍｐａｓｓ）、衛星トランシーバ、デジタルカメラ（写真用またはビデオ用）、ユニバーサルシリアルバス（ＵＳＢ）ポート、振動デバイス、テレビジョントランシーバ（ｔｅｌｅｖｉｓｉｏｎ  ｔｒａｎｓｃｅｉｖｅｒ）、ハンズフリーハンドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール（ｖｉｄｅｏ  ｇａｍｅ  ｐｌａｙｅｒ  ｍｏｄｕｌｅ）、インターネットブラウザなどが含まれる。
【００３０】
図１Ｃは、一実施形態によるＲＡＮ１０４およびコアネットワーク１０６のシステム概略図である。上記のように、ＲＡＮ１０４は、Ｅ−ＵＴＲＡ無線技術を使用して、エアインタフェース１１６を通じてＷＴＲＵ１０２ａ、１０２ｂ、１０２ｃと通信することができる。ＲＡＮ１０４は、コアネットワーク１０６と通信していることもありうる。
【００３１】
ＲＡＮ１０４は、ｅＮｏｄｅ−Ｂ１４０ａ、１４０ｂ、１４０ｃを含むことができるが、ＲＡＮ１０４は、一実施形態と合致しつついかなる数のｅＮｏｄｅ−Ｂを含むこともできると理解されるであろう。ｅＮｏｄｅ−Ｂ１４０ａ、１４０ｂ、１４０ｃは、それぞれエアインタフェース１１６を通じてＷＴＲＵ１０２ａ、１０２ｂ、１０２ｃと通信するための１つまたは複数のトランシーバを含むことができる。１つの実施形態では、ｅＮｏｄｅ−Ｂ１４０ａ、１４０ｂ、１４０ｃは、ＭＩＭＯ技術を実装することができる。したがって、例えばｅＮｏｄｅ−Ｂ１４０ａは、複数のアンテナを使用してＷＴＲＵ１０２ａにワイヤレス信号を送信し、ＷＴＲＵ１０２ａからワイヤレス信号を受信することができる。
【００３２】
ｅＮｏｄｅ−Ｂ１４０ａ、１４０ｂ、１４０ｃのそれぞれは、特定のセル（図示せず）と関連付けることができ、無線リソース管理の決定、ハンドオーバの決定、アップリンクおよび／またはダウンリンクにおけるユーザのスケジューリングなどを処理するように構成することができる。図１Ｃに示すように、ｅＮｏｄｅ−Ｂ１４０ａ、１４０ｂ、１４０ｃは、Ｘ２インタフェースを通じて互いと通信することができる。
【００３３】
図１Ｃに示すコアネットワーク１０６は、モビリティ管理ゲートウェイ（ＭＭＥ）１４２、サービングゲートウェイ１４４、およびパケットデータネットワーク（ＰＤＮ）ゲートウェイ１４６を含むことができる。前述の要素のそれぞれをコアネットワーク１０６の一部として示しているが、これらの要素のいずれか１つがコアネットワーク事業者以外の事業体によって所有される、および／または運営される場合があることを理解されるであろう。
【００３４】
ＭＭＥ１４２は、Ｓ１インタフェースを介してＲＡＮ１０４中のｅＮｏｄｅ−Ｂ１４２ａ、１４２ｂ、１４２ｃのそれぞれに接続することができ、制御ノードとして働くことができる。例えば、ＭＭＥ１４２は、ＷＴＲＵ１０２ａ、１０２ｂ、１０２ｃのユーザを認証すること、ベアラのアクティブ化（ａｃｔｉｖａｔｉｏｎ）／非アクティブ化（ｄｅａｃｔｉｖａｔｉｏｎ）、ＷＴＲＵ１０２ａ、１０２ｂ、１０２ｃの最初のアタッチ（ａｔｔａｃｈ）中に特定のサービングゲートウェイを選択することを担うことができる。ＭＭＥ１４２はまた、ＲＡＮ１０４と、ＧＳＭまたはＷＣＤＭＡなど他の無線技術を使用する他のＲＡＮ（図示せず）との間で切り替えるための制御プレーン機能を提供することができる。
【００３５】
サービングゲートウェイ１４４は、Ｓ１インタフェースを介してＲＡＮ１０４中の１４０ａ、１４０ｂ、１４０ｃのそれぞれに接続することができる。サービングゲートウェイ１４４は、一般にユーザのデータパケットをＷＴＲＵ１０２ａ、１０２ｂ、１０２ｃへルーティングして転送する／ＷＴＲＵ１０２ａ、１０２ｂ、１０２ｃからルーティングして転送することができる。サービングゲートウェイ１４４はまた、インターハンドオーバ（ｉｎｔｅｒ−ｈａｎｄｏｖｅｒｓ）の間ユーザプレーンを固定すること（ａｎｃｈｏｒｉｎｇ）、ダウンリンクデータがＷＴＲＵ１０２ａ、１０２ｂ、１０２ｃに使用できるときページングをトリガすること、ＷＴＲＵ１０２ａ、１０２ｂ、１０２ｃのコンテキストを管理して格納することなど、他の機能を行うことができる。
【００３６】
サービングゲートウェイ１４４はまた、ＰＤＮゲートウェイ１４６に接続することができ、ＰＤＮゲートウェイ１４６がＷＴＲＵ１０２ａ、１０２ｂ、１０２ｃに、インターネット１１０などのパケット交換ネットワークへのアクセスを提供して、ＷＴＲＵ１０２ａ、１０２ｂ、１０２ｃとＩＰ対応デバイスとの間の通信を容易にすることができる。
【００３７】
コアネットワーク１０６は、他のネットワークとの通信を容易にすることができる。例えばコアネットワーク１０６はＷＴＲＵ１０２ａ、１０２ｂ、１０２ｃに、ＰＳＴＮ１０８などの回線交換ネットワークへのアクセスを提供し、ＷＴＲＵ１０２ａ、１０２ｂ、１０２ｃと伝統的な固定通信デバイスとの間の通信を容易にすることができる。例えば、コアネットワーク１０６は、コアネットワーク１０６とＰＳＴＮ１０８との間のインタフェースとして働くＩＰゲートウェイ（例えば、ＩＰマルチメディアサブシステム（ＩＭＳ）サーバ）を含むことができる、またはＩＰゲートウェイと通信することができる。さらにコアネットワーク１０６は、ＷＴＲＵ１０２ａ、１０２ｂ、１０２ｃにネットワーク１１２へのアクセスを提供することができ、ネットワーク１１２は、他のサービスプロバイダが所有するおよび／または運営する他の有線ネットワークまたは無線ネットワークを含むことができる。
【００３８】
図２は、ＳＩＰＴＯサービスを提供するように構成された例示的ＬＴＥシステム２００を示す。このシステムは、無線アクセスネットワーク（ＲＡＮ）２２５に位置しているｅＮＢ２２０と通信しているＷＴＲＵ２１０を含む。ｅＮＢ２２０はまた、Ｓ−ＧＷ２３０と通信しており、またＳ−ＧＷ２３０はＬ−ＰＧＷ２３５およびコアネットワーク（ＣＮ）２４０と通信している。ＣＮ２４０は、ＭＭＥ２４５とＰ−ＧＷ２５０とを含んでいる。
【００３９】
ＷＴＲＵ２１０は、ワイヤレスエアインタフェース２５５を通じてｅＮＢ２２０と通信する。ｅＮＢ２２０はまた、Ｓ１−Ｕインタフェース２６０を通じてＳ−ＧＷ２３０と通信する。Ｓ−ＧＷ２３０は、Ｓ５インタフェース２６５を通じてＬ−ＰＧＷ２３５と、Ｓ５インタフェース２７０を通じてＰ−ＧＷ２５０と通信する。Ｓ−ＧＷ２３０はまた、Ｓ１１インタフェース２７５を通じてＭＭＥ２４５と通信する。Ｓ−ＧＷ２３０からＬ−ＰＧＷ２６５へルーティングされるＳＩＰＴＯトラフィックストリーム２８０と、ＣＮ２４０においてＳ−ＧＷ２３０からＰ−ＧＷ２５０へルーティングされるＣＮトラフィックストリーム２８５という、２つのトラフィックストリームも示している。
【００４０】
ｅＮＢ２２０はまた、ＷＴＲＵ２１０のユーザのホームネットワークでＳＩＰＴＯを行うように構成されたＨｅＮＢであることも可能である。その場合、トラフィックは、ユーザのホームネットワークにローカルにオフロードされることが可能である。ホームネットワークは、例えばプリンタ、テレビ、およびパーソナルコンピュータなどの他のデバイスに接続されたＩＰネットワークである可能性がある。ホームネットワークのこうしたノードは、プライベートアドレス指定（ｐｒｉｖａｔｅ  ａｄｄｒｅｓｓｉｎｇ）を使用している場合がある。
【００４１】
またシステム２００は、ローカルＩＰアドレス（ＬＩＰＡ）を提供するように構成することができる。本明細書に開示する特徴の多くは、ＳＩＰＴＯに関して説明しているが、これらはＨｅＮＢのＬＩＰＡシステムおよびＳＩＰＴＯシステムにも適用できる。例えばＳＩＰＴＯまたはＬＩＰＡは、単一のまたは複数のパケットデータネットワーク（ＰＤＮ）のコネクション、ネットワークアドレス変換（ＮＡＴ）後の導入（ｄｅｐｌｏｙｍｅｎｔ）などを含むことができる。
【００４２】
さらに、モバイル事業者のコアネットワークを通るトラフィックについては、Ｓ−ＧＷ２３０のユーザプレーン機能は、ＣＮ２４０内に置くことができる。また、ＷＴＲＵ２１０とネットワークとの間のモビリティ管理シグナリングは、ＣＮ２４０において処理することができる。ＬＩＰＡまたはＳＩＰＴＯトラフィック、およびＣＮ２４０を通過するトラフィックの、ベアラセットアップなどのセッション管理シグナリングは、ＣＮ２４０で終端することができる。また、地理的にまたは接続形態としてＷＴＲＵ２１０に近いＳＩＰＴＯトラフィックのＷＴＲＵのオフロードポイントの再選択は、アイドルモードのモビリティ手続きの間に実行可能である。
【００４３】
ＳＩＰＴＯシステムは、アクセスネットワークへのＷＴＲＵのアタッチのポイントに近いローカルゲートウェイを含むことができる。ローカルゲートウェイは、あるポリシーまたは設定に基づいて、例えばＩＰアドレスの宛先に基づいて、ＩＰトラフィックのオフロードを行うことができる。ＩＰトラフィックは、例えばＳ−ＧＷおよびＰ−ＧＷを介して、またはＳＧＳＮおよびＧＧＳＮ（図示せず）を介して、事業者のコアネットワークではなく、ローカルゲートウェイを通過することができる。
【００４４】
ネットワーク技術に応じて、ローカルブレイクポイントまたはローカルゲートウェイは、ＨｅＮＢサブシステムにある、または無線ネットワークコントローラ（ＲＮＣ）にあることが可能である。また、ＳＧＳＮは、一部のネットワークでは制御プレーンおよびユーザプレーンの両方を担うことがあり、他の場合ではユーザプレーンおよび制御プレーンは、モビリティ管理エンティティ（ＭＭＥ）およびＳＧＷによって管理される。
【００４５】
Ｌ−ＰＧＷ２３５などのローカルゲートウェイは、ＰＤＷ／ＧＧＳＮの一定の機能を有することができる。例えば、ローカルゲートウェイは、次の機能、すなわちＩＰアドレスの割当て、接続モードでのＲＡＮ２２５との直接トンネリング、ＷＴＲＵごとのポリシーに基づくパケットフィルタリング、またはレートのポリシング（ｐｏｌｉｃｉｎｇ）／シェーピング（ｓｈａｐｉｎｇ）を有することができる。例えばローカルネットワークまたはインターネットなどのネットワークへＳＩＰＴＯ伝送を行うために、適切なＰＤＮコネクションが必要とされることがある。ＰＤＮコネクションを要求とするとき、またはパケットデータプロトコル（ＰＤＰ）コンテキストの確立を要求とするとき、ＷＴＲＵがアクセスポイント名（ＡＰＮ）を特定の値に設定することができる。
【００４６】
図３は、ＳＩＰＴＯサービスまたはＬＩＰＡサービスを使用してＷＴＲＵが通信するための例示的トリガ手続き３００を示す流れ図である。まず、３１０においてｅＮｏｄｅ  Ｂは、ＳＩＰＴＯまたはＬＩＰＡのサポートの表示をブロードキャストして、一部のＷＴＲＵに対してネットワークでこのようなサービスが利用できることを示す。次いでｅＮｏｄｅ  Ｂは、３２０においてＷＴＲＵにＮＡＳメッセージを送信し、そのＷＴＲＵにはＳＩＰＴＯサービスまたはＬＩＰＡサービスが可能であることを示すことができる。ＷＴＲＵはその後、３３０においてＳＩＰＴＯサービスまたはＬＩＰＡサービスを使用して通信する。
【００４７】
ＳＩＰＴＯサービスまたはＬＩＰＡサービスをサポートするというサービスの表示は、セル毎にブロードキャストする、またはルーティングエリアもしくはトラッキングエリアのような別のエリアに対してブロードキャストすることができることに注意すべきである。表示は、例えばシステム情報メッセージでブロードキャストすることができる。さらにセルは、ＬＩＰＡの場合、ＣＳＧセルである可能性がある。セルは、例えばＡｔｔａｃｈ  Ａｃｃｅｐｔ、ＴＡＵ  Ａｃｃｅｐｔ、ＲＡＵ  ＡｃｃｅｐｔのようなＮＡＳメッセージで、ＳＩＰＴＯサービスまたはＬＩＰＡサービスの利用可能性の表示を提供することもできる。
【００４８】
ＷＴＲＵはまた、ＳＩＰＴＯまたはＬＩＰＡの機能の表示をネットワークに提供することもできる。これは、ＷＴＲＵがマクロセル、ＨｅＮＢｓ、または両方についてＳＩＰＴＯまたはＬＩＰＡをサポートしているかどうかにかかわらず役立つ可能性がある。ＷＴＲＵおよび／またはネットワークは、ＬＴＥシステムのみ、ＵＴＲＡＮのみ、または両方、または非３ＧＰＰアクセスを含むシステムの他の組合せにおいても同様に、ＳＩＰＴＯまたはＬＩＰＡをサポートするという表示を提供することができる。
【００４９】
ＳＩＰＴＯまたはＬＩＰＡサービスの利用可能性、サポートのレベル、システムの型などもまた、アクセスネットワーク発見および選択機能（ａｃｃｅｓｓ  ｎｅｔｗｏｒｋ  ｄｉｓｃｏｖｅｒｙ  ａｎｄ  ｓｅｌｅｃｔｉｏｎ  ｆｕｎｃｔｉｏｎ、ＡＮＤＳＦ）を使用してＷＴＲＵに提供することができる。これは、ＷＴＲＵが一定のアクセス技術を変更するまたは使用する助けとなるポリシーとして提供することができる。
【００５０】
本明細書に記載するインジケータは、ターゲットシステムまたはセルに対して使用することができる。例えば、ＷＴＲＵがシステム間の変更、またはＬＴＥからＵＴＲＡＮへなど、あるネットワークから別のネットワークへパケット交換（ＰＳ）ハンドオーバを行っているとき、ＭｏｂｉｌｉｔｙＦｒｏｍＥＵＴＲＡＣｏｍｍａｎｄなどのモビリティメッセージにターゲットシステムにおけるＳＩＰＴＯまたはＬＩＰＡサポートの表示を含むことができる。転送（ｒｅｄｉｒｅｃｔｉｏｎ）情報と共に無線リソース制御（ＲＲＣ）コネクションを解放すると同時に、表示もまた伝送することができる。ＷＴＲＵは、例えば、ＵＴＲＡＮからＥ−ＵＴＲＡＮへのシステム間の変更のために特定のＰＤＷへの一定のＧＧＳＮまたはＰＤＮコネクションに対してＰＤＰコンテキストのアクティブ化をトリガするための表示を使用することができる。ＷＴＲＵはまた、デフォルトのアクセスポイント名（ＡＰＮ）を提供されることが可能であり、ＷＴＲＵはその位置に基づいてＡＰＮを導き出すことができる。あるいはＡＰＮは、決定しないでおく、またはランダム値もしくは未知値に設定することができる。ネットワークは、いくつかのポリシーに基づいて適切なゲートウェイを選択することができる。インジケータは、システム間のハンドオーバに使用することもできる。インジケータは、ＳＩＰＴＯサービスまたはＬＩＰＡサービスに必要とされるいかなるシグナリングを起動するためにも、ＮＡＳなどの上位レイヤに転送することができる。
【００５１】
ＣＳＧセルに対するＳＩＰＴＯまたはＬＩＰＡのサポートに関する表示を使用することができる。ＷＴＲＵは、例えばホワイトリストの中にそのＣＳＧ  ＩＤの全部または一部に対する表示を保持することができ、アクセス層（ｓｔｒａｔｕｍ）または無線リソース制御（ＲＲＣ）エンティティによって保持される。あるいは、ＷＴＲＵは、ＵＳＩＭ、非アクセス層（ＮＡＳ）によって保持される許可された事業者リスト、またはＮＡＳによって保持される事業者制御リストの中にそのＣＳＧ  ＩＤの全部または一部に関する表示を保持することができる。
【００５２】
ＳＩＰＴＯまたはＬＩＰＡに対してＷＴＲＵのために働くローカルゲートウェイが独立型（ｓｔａｎｄａｌｏｎｅ）であるか、またはＣＳＧセルと共に配置されるかを、ＷＴＲＵは通知されることが可能である。ＷＴＲＵは、ＳＩＰＴＯまたはＬＩＰＡが提供されていたその前のセルを離れるとき、ローカルに、またはネットワーク（ＭＭＥ２４５またはＳＧＳＮ）に信号を送ることによって、（１つまたは複数の）そのＰＤＮコネクションを非アクティブ化することができる。さらにこの非アクティブ化は、ＷＴＲＵがアイドルモードであるときに、ＳＩＰＴＯまたはＬＩＰＡのためにＷＴＲＵを呼び出すことを回避することができる。
【００５３】
図４は、ＳＩＰＴＯサービスの配信をトリガするための例示的手続き４００を示す。４１０において、ＷＴＲＵがルーティングエリア（ＲＡ）、トラッキングエリア（ＴＡ）、もしくはローカルエリア（ＬＡ）などの特定のエリアに入るとき、またはＣＳＧセルにキャンプオンするとき、この手続きは始まる。次いでＷＴＲＵまたはネットワークは、４２０において、ＳＩＰＴＯ用のシグナリングを起動する、またはＷＴＲＵはＳＩＰＴＯサービスの受信を開始する。
【００５４】
ＳＩＰＴＯまたはＬＩＰＡサービスの起動は、トラフィックのオフロードが行われるときに行われる。ＷＴＲＵは、オフロード処理に気づかないことが可能である。ＳＩＰＴＯまたはＬＩＰＡの起動はまた、選択されたトラフィックをオフロードするために必要とされる可能性があるシグナリングが行われるときに、例えば新しいＰＤＮコネクションが必要とされるときに、行われる可能性がある。
【００５５】
ＷＴＲＵは、特定のトラッキングエリア識別情報（ＴＡＩ）またはルーティングエリア識別情報（ＲＡＩ）、または特定のサービスエリアを登録する（ｅｎｔｅｒ）とき、ＳＩＰＴＯサービスまたはＬＩＰＡサービスをトリガすることができる。あるいは、ＷＴＲＵは、例えば新しいＰＤＮコネクションの確立または新しいＰＤＰコンテキストのアクティブ化などの特定のアクションをとるために、ＴＡＵ  ＡｃｃｅｐｔまたはＲＡＵ  Ａｃｃｅｐｔメッセージの中で受信する表示を使用することができる。
【００５６】
ＷＴＲＵがＣＳＧセルにキャンプオンする、またはＣＳＧセルに向かうとき、トリガが行われる可能性がある。ＷＴＲＵは、ＳＩＰＴＯまたはＬＩＰＡがＣＳＧセルでサポートされているかどうかを知らない場合でも、ＰＤＮコネクションをトリガすることができる。その他の場合、ＷＴＲＵは、各ＣＳＧ識別情報について、本明細書で前述した表示を使用して、例えば新しいＰＤＮコネクションの確立、またはＰＤＰコンテキストのアクティブ化など、ＳＩＰＴＯのために必要なシグナリングをトリガすることを決定することができる。あるいはこれは、ＣＳＧまたはマクロセルを手動で選択すると行われる場合がある。
【００５７】
ＷＴＲＵが、例えばＥＰＳモビリティ管理（ＥＭＭ）情報メッセージまたは他のＮＡＳもしくは無線リソース制御（ＲＲＣ）メッセージなどの専用のシグナリングを使用して、ＳＩＰＴＯまたはＬＩＰＡサービスが利用できるという表示をネットワークから受信するとき、トリガが行われる場合がある。
【００５８】
ＳＩＰＴＯまたはＬＩＰＡに、新しいＰＤＮコネクションの確立、新しいＰＤＰコンテキストのアクティブ化、または任意のベアラ／コンテキストの変更が要求される場合、ネットワークはやはりこの手続きを起動することができる。例えば、ＰＤＮコネクションは、ＷＴＲＵによって起動されることが可能である。ネットワークがＳＩＰＴＯまたはＬＩＰＡサービスをＷＴＲＵに配信することを決定するとき、ネットワークはＷＴＲＵへのＰＤＮコネクションを起動することができる。これは、セッション管理メッセージを使用して実行することができる。あるいは、ネットワークは、Ａｃｔｉｖａｔｅ  Ｄｅｆａｕｌｔ  ＥＰＳ  Ｂｅａｒｅｒ  ＣｏｎｔｅｘｔのようなメッセージをＷＴＲＵに直接送信することができる。同様のメッセージを、ＰＤＰコンテキストのアクティブ化のためにＵＴＲＡＮで送信することができる。ネットワークは、ＷＴＲＵのためにトラフィックオフロードを行っているゲートウェイのＡＰＮを含むことができる。さらに、ネットワークは、ＥＰＳセッション管理（ＥＳＭ）の理由（ｃａｕｓｅ）を追加して、コネクションがＳＩＰＴＯまたはＬＩＰＡサービス用であることを示すことができる。
【００５９】
ＷＴＲＵは、本明細書に開示する表示のいずれを使用して、ＳＩＰＴＯまたはＬＩＰＡに関連する関連情報をＷＴＲＵのユーザに表示することもできる。ユーザは、特定のサービスを開始すること、ローカルファイル転送など、多くの目的で情報を使用することができる。
【００６０】
ＷＴＲＵは、どのトラフィックをオフロードすべきかに関する選択（ｐｒｅｆｅｒｅｎｃｅ）など、トラフィックに関する選択を提供することができる。他のトリガは、サービス品質（ＱｏＳ）に関連することが可能である。受信したＱｏＳが劣化すると、トラフィックがＣＮからそれるように、ＳＩＰＴＯ手続きの開始をトリガすることができる。
【００６１】
コネクションが確立するたびに、ＲＡＮは少なくとも１つのＩＰアドレスをネットワークノードに提供することができる。ネットワークノードは、次いでＳＩＰＴＯまたはＬＩＰＡ用のローカルゲートウェイを選択することができる。しかしながら、コネクションの確立の時点ではＲＡＮは、ＷＴＲＵによってどのデータ型が送信されるか、すなわちＳＩＰＴＯが送信されるか、非ＳＩＰＴＯが送信されるかを知ることはできない。いくつかのゲートウェイは、ＳＩＰＴＯまたはＬＩＰＡトラフィックの一時的な経路としてまたはルータとして用意されることがある。あるいはＨｅＮＢゲートウェイ（ＧＷ）は、少なくとも第１のユーザプレーンパケットを受信した後に、ＳＩＰＴＯまたはＬＩＰＡ用のルーティング経路またはローカルゲートウェイを提案することができる。あるいは、経路またはゲートウェイの選択は、各ベアラの状況またはＰＤＰの状況に合わせて行うことができる。ＨｅＮＢのＧＷ、またはＲＡＮなどのＳＩＰＴＯまたはＬＩＰＡサービスの提供のための行動を起こす必要がある他のいかなるノードも、あるベアラにマッピングすること、またはＳＩＰＴＯまたはＬＩＰＡが影響を及ぼすことがわかっている状況に基づいて、パケットがコアネットワークを通過すべきかどうかを決定することができる。特定のベアラは、ＳＩＰＴＯまたはＬＩＰＡトラフィックまたは非ＳＩＰＴＯトラフィックを搬送することがわかっている可能性がある。
【００６２】
ＳＩＰＴＯサービスまたはＬＩＰＡサービスを開始することとの関連で定義した同じトリガを使用して、ＳＩＰＴＯサービスまたはＬＩＰＡサービスを停止することもできる。ネットワークは、場合によってはＷＴＲＵがサービスの停止に気づくことなく、選択したトラフィックのオフロードを停止することができる。ネットワークは、ＰＤＮから外れる（ｄｉｓｃｏｎｎｅｃｔ）、またはＰＤＰコンテキストを非アクティブ化する要求など、ＷＴＲＵとネットワークとの間のシグナリングの交換を停止することもできる。シグナリングは、ネットワークまたはＷＴＲＵによってトリガすることができる。さらに、ＷＴＲＵおよびネットワークは、タイマーの期限に基づいて、ＳＩＴＰＯまたはＬＩＰＡサービスの配信の停止を起動することができる。例えば、特定の設定可能時間またはデフォルト時間の間ユーザデータが交換されないとき、タイマーは切れる場合があり、ＳＩＰＴＯまたはＬＩＰＡサービスが打ち切りになる場合がある。
【００６３】
図５は、ＣＳＧにおけるＷＴＲＵの加入（ｓｕｂｓｃｒｉｐｔｉｏｎ）が切れる場合、ＷＴＲＵがＬＩＰＡサービスを停止する例示的手続き５００を示す。ＷＴＲＵは５１０においてＣＳＧに接続され、ＬＩＰＡサービスを使用して通信する。５２０においてＷＴＲＵは、ＬＩＰＡサービスが提供されたＣＳＧから、ＬＩＰＡサービスが提供されないターゲットセルへハンドオーバされる。次いでＷＴＲＵは５３０において、ＭＭＥへのシグナリングなしにローカルにいかなるＰＤＮコネクションも非アクティブ化することができる。あるいは、非アクティブ化されるベアラは、例えばＴＡＵまたはＲＡＵの要求および応答など他のメッセージの中で信号を送られることが可能である。
【００６４】
ＷＴＲＵまたはＷＴＲＵのユーザは、どのトラフィックをオフロードすべきでないかに関する選択を提供することができる。他のトリガが可能であり、ＱｏＳに関連する場合がある。例えば、受信したＱｏＳのいかなる劣化も、ＳＩＰＴＯまたはＬＩＰＡの停止の原因となる可能性があり、トラフィックは、コアネットワークを経由して進路を変えることができる。
【００６５】
図６は、ＳＩＰＴＯ対応システムにおいてページングを行うための例示的手続き６００を示している。６１０においてＷＴＲＵが、ページングメッセージはＳＩＰＴＯおよびＣＳＧ  ＩＤ用であることの表示を含むＳＩＰＴＯおよびＣＳＧ  ＩＤページングのメッセージを受信するとき、この手続きは始まる。次いで６２０においてＷＴＲＵは、ＳＩＰＴＯサービスメッセージ用のページングに応答する。その後６３０においてネットワークはＳＩＴＰＯベアラのリソースを確立し、ＷＴＲＵは非ＳＩＰＴＯベアラを維持する。
【００６６】
ネットワークは、ＲＲＣシグナリングによって送信されたページングのメッセージがＳＩＰＴＯまたはＬＩＰＡトラフィックによるものであることをＷＴＲＵに示すことができる。ページに特定のＳＩＰＴＯまたはＬＩＰＡ識別子（ＩＤ）を使用して、ＳＩＰＴＯまたはＬＩＰＡページを他のページと区別することができる。ＩＤは、Ｓ−ＴＭＳＩまたはＰ−ＴＭＳＩなどの一時的移動体加入者識別情報（ＴＭＳＩ）と同様とすることができ、ＳＩＰＴＯまたはＬＩＰＡサービスが起動されるとき、ネットワークによって割り当てられることが可能である。ネットワークは、ＮＡＳメッセージなどのメッセージにこのＩＤを割り当てることができる。ＮＡＳメッセージは、例えばＡｔｔａｃｈ  Ａｃｃｅｐｔ、ＴＡＵ  Ａｃｃｅｐｔ、ＲＡＵ  Ａｃｃｅｐｔなどとすることができる。さらにＲＲＣページングのメッセージ中の新しいコアネットワークのドメイン識別子を使用して、ページングがＳＩＰＴＯかＬＩＰＡ用であることを示すことができる。また、ビットを使用して、ページングのメッセージがＳＩＰＴＯまたはＬＩＰＡトラフィック用であることを示すことができる。
【００６７】
ＷＴＲＵは、例えばＮＡＳ  Ｓｅｒｖｉｃｅ  Ｒｅｑｕｅｓｔメッセージなどのメッセージ、または同様の目的の別のメッセージを送信することによってＳＩＰＴＯまたはＬＩＰＡ用のページングに応答することができる。ＷＴＲＵがＳＩＰＴＯトラフィックまたはＬＩＰＡトラフィック用のＲＲＣコネクションまたはＮＡＳシグナリングコネクションを要求するとき、確立理由（ｅｓｔａｂｌｉｓｈｍｅｎｔ  ｃａｕｓｅ）を使用することができる。
【００６８】
ＷＴＲＵがＲＲＣコネクションを要求する場合、ＮＡＳシグナリングコネクション、または移動体発信または終端ＳＩＰＴＯまたはＬＩＰＡトラフィックを要求し、Ｓｅｒｖｉｃｅ  Ｒｅｑｕｅｓｔメッセージまたは同様の目的を持つ他のメッセージなどのメッセージを送信する場合、ＣＮを通過するトラフィックに使用される強化型パケットサービス（ＥＰＳ）ベアラコンテキストのために、無線およびＳｉベアラを確立することができる。さらに、ＷＴＲＵは、無線またはＳｉベアラが確立されなかったＥＰＳベアラコンテキストを非アクティブ化しないことが可能であり、既存の非ＳＩＰＴＯベアラを維持する。ＷＴＲＵおよびネットワークは、例えば、ＲＲＣメッセージ（ＲＲＣＣｏｎｎｅｃｔｉｏｎＲｅｃｏｎｆｉｇｕｒａｔｉｏｎ）などの他のシグナリングを使用して、ＣＮトラフィック用の無線およびＳｉベアラを確立することができる。ＷＴＲＵは、ＮＡＳまたはＲＣＣメッセージなどのメッセージを送信することによって、無線およびＳｉベアラの確立をトリガすることもできる。
【００６９】
一実施形態では、ローカルゲートウェイにＭＭＥまたはＳＧＳＮ機能を配置することができる。ローカルゲートウェイは、ＣＮの中にあることが可能である総合的なＭＭＥの任務の一部のホストとして働くことができる。ローカルＭＭＥ機能の一部は、例えば、ＳＩＰＴＯトラフィックのページング、およびＳＩＰＴＯもしくはＬＩＰＡのシグナリングポイントの終端、およびモビリティとセッションの管理シグナリングを含むことができる。ローカルＭＭＥは、例えば、ＳＩＰＴＯまたはＬＩＰＡトラフィック用の新しいベアラの確立、ＰＤＮコネクションの切断など、ネットワークにおいてあるＷＴＲＵコンテキストを更新するために、ＣＮのＭＭＥと通信することができる。
【００７０】
ローカルゲートウェイまたは例えばトラフィックオフロードポイント機能など他のいかなるローカル機能も、Ｓ−ＴＭＳＩ、Ｍ−ＴＭＳＩ、もしくはＰ−ＴＭＳＩ、および国際移動体加入者識別番号（ｉｎｔｅｒｎａｔｉｏｎａｌ  ｍｏｂｉｌｅ  ｓｕｂｓｃｒｉｂｅｒ  ｉｄｅｎｔｉｔｙ、ＩＭＳＩ）、ルーティングエリア識別子（ｒｏｕｔｉｎｇ  ａｒｅａ  ｉｄｅｎｔｉｆｉｅｒ、ＥＡＩ）、およびトラッキングエリア識別子（ｔｒａｃｋｉｎｇ  ａｒｅａ  ｉｄｅｎｔｉｆｉｅｒ、ＴＡＩ）など、ＷＴＲＵのためのいくつかのモビリティ管理コンテキストを維持することができる。ローカル機能は、ページングによってローカル機能がＷＴＲＵと交信して例えばＲＮＣまたはＲＲＣのようなノードに情報を提供する場合に役立つ可能性がある。
【００７１】
ホームネットワークまたは企業ネットワーク上のＬＩＰＡトラフィックが開始されるとき、またはホームセル、企業ＣＳＧセル、もしくはマクロセル上のＳＩＰＴＯトラフィックが開始されるとき、ＷＴＲＵは、アイドルモードシグナリング削減（ｉｄｌｅ  ｍｏｄｅ  ｓｉｇｎａｌｉｎｇ  ｒｅｄｕｃｔｉｏｎ、ＩＳＲ）を非アクティブ化することもできる。非アクティブ化することにより、ＷＴＲＵが２つのシステム間で再選択する場合、またはＬＩＰＡ／ＳＩＰＴＯトラフィックをターゲットシステムにルーティングすることができない場合、ＷＴＲＵをページングする必要性を回避することができる。
【００７２】
さらに、ＷＴＲＵは、トラッキングまたはルーティングエリア更新手続きを起動して、それぞれＭＭＥまたはＳＧＳＮにＷＴＲＵがＬＩＰＡまたはＳＩＰＴＯをアクティブ化した場合その前のセルを離れたことを知らせることができる。これは、新しい更新型を必要とする可能性がある。ネットワークおよびＷＴＲＵは、関連するすべてのコンテキストおよびＩＰアドレスを非アクティブ化することができる。あるいはネットワークおよびＷＴＲＵは、すべての関連するコンテキストおよびＩＰアドレスを維持することができる。関連するコンテキストおよびＩＰアドレスが維持される場合、トラフィックをＷＴＲＵの現在の位置にルーティングできない場合は、ＷＴＲＵはＬＩＰＡ／ＳＩＰＴＯのためにページングされることはない。しかしながら、ＲＡＮを越えてＳＩＰＴＯまたはＬＩＰＡトラフィックをルーティングできる場合、ＷＴＲＵはＳＩＰＴＯまたはＬＩＰＡが起動されるときにＩＳＲを非アクティブ化することができない。ＷＴＲＵは、構成またはネットワークからの表示に基づいて、アクティブ化か、非アクティブ化かを決定することができる。
【００７３】
（実施形態）
１．選択されたインターネットプロトコルトラフィックオフロード（ＳＩＰＴＯ）の手続きを含む、ワイヤレス送受信ユニット（ＷＴＲＵ）を操作する方法。
【００７４】
２．インターネットプロトコル（ＩＰ）トラフィックをローカルネットワークにオフロードするステップをさらに含む、実施形態１に記載の方法。
【００７５】
３．ページを受信するステップをさらに含む、実施形態１または２に記載の方法。
【００７６】
４．メッセージを送信するステップと、アクティブな進化型パケット交換（ＥＰＳ）ベアラコンテキストに対してｅＮｏｄｅＢ（ｅＮＢ）とサービングゲートウェイ（ＳＧＷ）との間で無線およびＳｉベアラを確立するようネットワークをトリガするステップとをさらに含む、いずれか１つの前述の実施形態に記載の方法。
【００７７】
５．無線ベアラが確立されていないＥＰＳベアラコンテキストを非アクティブ化するステップをさらに含む、いずれか１つの前述の実施形態に記載の方法。
【００７８】
６．ＳＩＰＴＯのサポートを示すステップをさらに含む、いずれか１つの前述の実施形態に記載の方法。
【００７９】
７．ＳＩＰＴＯのサポートの表示を受信するステップをさらに含む、いずれか１つの前述の実施形態に記載の方法。
【００８０】
８．完全なセル、トラッキングエリア、またはルーティングエリアに対するＳＩＰＴＯサポートの表示を受信するステップをさらに含む、いずれか１つの前述の実施形態に記載の方法。
【００８１】
９．マクロセルのみに対する、および／またはホームｅＮｏｄｅＢシステムに対するＳＩＰＴＯサポートの表示を受信するステップをさらに含む、いずれか１つの前述の実施形態に記載の方法。
【００８２】
１０．ＷＴＲＵのＳＩＰＴＯ機能に関してネットワークにインジケータを提供するステップをさらに含む、いずれか１つの前述の実施形態に記載の方法。
【００８３】
１１．ハンドオーバ手続き中にＳＩＰＴＯインジケータを送信するおよび／または受信するステップをさらに含む、いずれか１つの前述の実施形態に記載の方法。
【００８４】
１２．トリガに基づいてＳＩＰＴＯ手続きを開始するステップをさらに含む、いずれか１つの前述の実施形態に記載の方法。
【００８５】
１３．トリガが、
トラッキングエリアまたはルーティングエリアに入るステップ、閉じた加入者グループ（ｃｌｏｓｅｄ  ｓｕｂｓｃｒｉｂｅｒ  ｇｒｏｕｐ、ＣＳＧ）にキャンプオンするステップ、またはＳＩＰＴＯ表示を受信するステップ
を含む、実施形態１２に記載の方法。
【００８６】
１４．パケットデータネットワークのコネクションを確立し、コンテキストまたはベアラをアクティブ化し、ＳＩＰＴＯ手続きを開始するｅＮｏｄｅＢ（ｅＮＢ）をさらに含む、いずれか１つの前述の実施形態に記載の方法。
【００８７】
１５．ＳＩＰＴＯ情報をユーザに表示するステップをさらに含む、いずれか１つの前述の実施形態に記載の方法。
【００８８】
１６．ＳＩＰＴＯ手続きを停止するためのトリガを受信するステップをさらに含む、いずれか１つの前述の実施形態に記載の方法。
【００８９】
１７．ｅＮＢがＳＩＰＴＯ手続きを停止するステップをさらに含む、いずれか１つの前述の実施形態に記載の方法。
【００９０】
１８．タイマーに基づいてＳＩＰＴＯ手続きを停止するステップをさらに含む、いずれか１つの前述の実施形態に記載の方法。
【００９１】
１９．ＣＳＧセルへの加入の有効期限に基づいて、ＳＩＰＴＯ手続きを停止するステップをさらに含む、いずれか１つの前述の実施形態に記載の方法。
【００９２】
２０．ハンドオーバに基づいてＳＩＰＴＯ手続きを停止するステップをさらに含む、いずれか１つの前述の実施形態に記載の方法。
【００９３】
２１．ページングのメッセージがＳＩＰＴＯトラフィックによるという表示を受信するステップをさらに含む、いずれか１つの前述の実施形態に記載の方法。
【００９４】
２２．ＳＩＰＴＯページを識別するためのＳＩＰＴＯ識別子を受信するステップをさらに含む、いずれか１つの前述の実施形態に記載の方法。
【００９５】
２３．ローカルゲートウェイにモビリティ管理機能を配置するステップをさらに含む、いずれか１つの前述の実施形態に記載の方法。
【００９６】
２４．ローカルゲートウェイが、ページを送信し、ＳＩＰＴＯ手続きのためにシグナリングポイントの終端として機能するように構成された、実施形態２３に記載の方法。
【００９７】
２５．ローカルゲートウェイが、モビリティ管理コンテキストを維持するように構成された、実施形態２３または２４に機債の方法。
【００９８】
２６．ホームネットワークまたは企業ネットワーク上のＬＩＰＡトラフィックが開始されるとき、アイドルモードのシグナリング削減（ＩＳＲ）手続きを非アクティブ化することをさらに含む、いずれか１つの前述の実施形態に記載の方法。
【００９９】
２７．ホームセル、企業ＣＳＧセル、またはマクロセル上のＳＩＰＴＯトラフィックが開始されるとき、ＩＳＲ手続きを非アクティブ化することをさらに含む、実施形態２６に記載の方法。
【０１００】
２８．トラッキングまたはルーティングエリア更新手続きを起動するステップをさらに含む、いずれか１つの前述の実施形態に記載の方法。
【０１０１】
２９．前述の実施形態のいずれか１つに記載の方法の少なくとも一部を実行するように構成された、ワイヤレス送受信ユニット（ＷＴＲＵ）。
【０１０２】
３０．実施形態１〜２８のいずれか１つに記載の方法の少なくとも一部を実行するように構成された、ｅＮｏｄｅＢ（ｅＮＢ）。
【０１０３】
３１．請求項１〜２８のいずれか１項に記載の少なくとも部分方法を実行するように構成された、集積回路（ＩＣ）。
【０１０４】
特徴および要素について特定の組合せで上述したが、各特徴または要素は、単独で、または他の特徴および要素とのいかなる組合せでも使用することができることを当業者は理解するであろう。さらに、本明細書に記載された方法は、コンピュータまたはプロセッサで実行するためにコンピュータ可読媒体に組み込まれたコンピュータプログラム、ソフトウェア、またはファームウェアで実行することができる。コンピュータ可読媒体の例には、電子信号（有線または無線接続によって送信される）、およびコンピュータ可読記憶媒体が含まれる。コンピュータ可読記憶媒体の例には、読み出し専用メモリ（ＲＯＭ）、ランダムアクセスメモリ（ＲＡＭ）、レジスタ、キャッシュメモリ、半導体メモリ素子、内蔵ハードディスクおよびリムーバブルディスクなどの磁気媒体、光磁気媒体、ならびにＣＤ−ＲＯＭディスクおよびデジタル多用途ディスク（ＤＶＤ）などの光媒体が含まれるが、これらに限定されない。ソフトウェアと関連したプロセッサを使用して、ＷＴＲＵ、ＵＥ、端末、基地局、ＲＮＣ、またはいずれかのホストコンピュータで使用する無線周波数トランシーバを実装することができる。
【図１Ａ】
0006392831.tif 000002
【図１Ｂ】
0006392831.tif 000003
【図１Ｃ】
0006392831.tif 000004
【図２】
0006392831.tif 000005
【図３】
0006392831.tif 000006
【図４】
0006392831.tif 000007
【図５】
0006392831.tif 000008
【図６】
0006392831.tif 000009